(57)【要約】【課題】フック部材を相手部材から取り外すときの操作性を向上する。【解決手段】一方向に開口する略Ｊ字状のフック部１４ａを有し、平板材を打ち抜いた形態のフック部材１４と、該フック部材１４に、その厚さ方向に延びる軸線１７回りに揺動可能に取り付けられ、フック部１４ａの開口１４ｃを開閉可能なキーパ部材１５と、フック部１４ａの開口１４ｃを内側から閉じる方向にキーパ部材１５を付勢するバネ１６とを備え、キーパ部材１５が、バネ１６による付勢方向の先端面１５ｃよりも後方において、該キーパ部材１５の揺動平面から突出し、指を掛けることができる突起を備えるスナップフック１を提供する。【選択図】図１
2015206412.tif 000002
【特許請求の範囲】
【請求項１】
一方向に開口する略Ｊ字状のフック部を有し、平板材を打ち抜いた形態のフック部材と、
該フック部材に、その厚さ方向に延びる軸線回りに揺動可能に取り付けられ、前記フック部の開口を開閉可能なキーパ部材と、
前記フック部の開口を内側から閉じる方向に前記キーパ部材を付勢するバネとを備え、
前記キーパ部材が、前記バネによる付勢方向の先端面よりも後方において、該キーパ部材の揺動平面から突出し、指を掛けることができる突起を備えるスナップフック。
【請求項２】
前記キーパ部材が平板材からなり、
前記突起が、前記キーパ部材を構成する前記平板材を屈曲させて鍔状に形成されている請求項１に記載のスナップフック。
【請求項３】
前記突起が、前記フック部材の厚さ方向の両側に突出している請求項１または請求項２に記載のスナップフック。
【請求項４】
前記フック部材に、前記キーパ部材によって開口が閉じられた状態で、前記キーパ部材の前記先端面の両側に、該先端面とともに外側に開く凹部を形成する導入部が設けられている請求項１から請求項３のいずれかに記載のスナップフック。
【請求項５】
前記フック部材が、一端に前記フック部を有し、他端に、ベルト材を貫通させる貫通孔を有する請求項１から請求項４のいずれかに記載のスナップフック。
【請求項６】
請求項５に記載のスナップフックと、
該スナップフックの前記貫通孔を貫通して一端が取り付けられた帯状のベルト材とを備えるベルト。
【請求項７】
請求項６に記載のベルトと、
該ベルトの他端に取り付けられ、搬送コンテナの内壁に固定されたレール板の貫通孔に着脱可能に取り付けられるベルト固定金具とを備える落下防止具。
【請求項８】
前記ベルト固定金具が取り付けられた前記ベルトの他端に、前記フック部を引っ掛け可能な環状部材が取り付けられている請求項７に記載の落下防止具。
【発明の詳細な説明】
【技術分野】
【０００１】
本発明は、スナップフック、ベルトおよび落下防止具に関するものである。
【背景技術】
【０００２】
従来、略Ｕ字状に打ち抜かれた金属製平板材からなるフック部材と、該フック部材に揺動可能に取り付けられ、フック部材の開口を内側から閉じる方向にバネにより付勢されたキーパ部材とを備えるスナップフックが知られている（例えば、非特許文献１参照。）。
このスナップフックはフック部材を引っ掛ける棒状の相手部材をキーパ部材の外面に押し付けて、その押圧力によってキーパ部材を開口の内側に揺動させることにより、閉じられていた開口を開放して相手部材をフック部材の内側に導入する。そして、導入により相手部材からキーパ部材に加えられていた押圧力が解除されることにより、キーパ部材が開口を閉じて、フック部材が相手部材から外れないように引っ掛けられた状態に保持されるようになっている。
【０００３】
このスナップフックは、上述したようにキーパ部材の外面に加えた押圧力によりキーパ部材を揺動させてフック部材の開口を開放する構造であるため、フック部材を相手部材に引っ掛ける際にはキーパブ材を操作しなくても簡単に引っ掛けることができる。一方、フック部材を相手部材から取り外す際には、キーパ部材を指で内側に揺動させてフック部材の開口を開く必要がある。
【先行技術文献】
【非特許文献】
【０００４】
【非特許文献１】アンクラジャパン総合カタログＶｏｌ．９、「スナップフック」、ｐ２２、アンクラジャパン株式会社、２００８．０８発行
【発明の概要】
【発明が解決しようとする課題】
【０００５】
しかしながら、従来のスナップフックは、フック部材を相手部材から取り外す際には、フック部材を相手部材に引っ掛ける際に相手部材によって押圧力を加えた位置と同じ位置を指で押してキーパ部材を揺動させる必要があり、相手部材が通過可能な広さよりも指の厚さ分だけ広げるためにキーパ部材を必要以上に大きく揺動させなければならない。また、キーパ部材を揺動させた指の背側を通過させて相手部材を取り外す必要があり、指が邪魔になることがある。
【０００６】
本発明は上述した事情に鑑みてなされたものであって、フック部材を相手部材から取り外すときの操作性を向上することができるスナップフック、ベルトおよび落下防止具を提供することを目的としている。
【課題を解決するための手段】
【０００７】
上記目的を達成するために、本発明は以下の手段を提供する。
本発明の一態様は、一方向に開口する略Ｊ字状のフック部を有し、平板材を打ち抜いた形態のフック部材と、該フック部材に、その厚さ方向に延びる軸線回りに揺動可能に取り付けられ、前記フック部の開口を開閉可能なキーパ部材と、前記フック部の開口を内側から閉じる方向に前記キーパ部材を付勢するバネとを備え、前記キーパ部材が、前記バネによる付勢方向の先端面よりも後方において、該キーパ部材の揺動平面から突出し、指を掛けることができる突起を備えるスナップフックを提供する。
【０００８】
本態様によれば、キーパ部材がバネの付勢力によってフック部の開口を内側から閉じている状態で、棒状の相手部材にキーパ部材の先端面を相手部材に押し当てることにより、先端面に加えられた押圧力により、キーパ部材がフック部材に対して揺動させられてフック部の開口が開かれるので、相手部材がフック部内に挿入される。相手部材がフック部内に導かれることによりキーパ部材の先端面から外れると、キーパ部材はバネによってフック部の開口を閉じる方向に揺動させられる。これにより、相手部材からフック部が外れないように引っ掛けられる。
【０００９】
一方、相手部材に引っ掛かっている状態のフック部材を取り外すには、キーパ部材をフック部材に対して揺動させてフック部の開口を開くことにより、フック部の開口内から相手部材を取り出してフック部材を相手部材から取り外すことができる。この場合において、操作者は、キーパ部材に設けられた突起に指を引っかけてキーパ部材を揺動させる。突起はキーパ部材の先端面よりも後方に配置されているので、先端面に直接指をかけてキーパ部材を揺動させる場合と比較して、指の背の位置を後退させることができる。
【００１０】
すなわち、先端面に直接指をかけてキーパ部材を揺動させる場合には、指の厚さ分だけ余計にキーパ部材を揺動させなければ相手部材を通過可能な寸法だけ開口を広げることができない。このため、キーパ部材が十分に揺動されていない場合には、操作者の指が相手部材を取り外す際の障害になるが、本態様によれば、先端面から後退した位置に配置された突起に指をかけてキーパ部材を揺動させるので、操作する指が障害になる不都合を低減することができる。これにより、フック部材を相手部材から取り外す際の操作性を向上することができる。
【００１１】
上記態様においては、前記キーパ部材が平板材からなり、前記突起が、前記キーパ部材を構成する前記平板材を屈曲させて鍔状に形成されていてもよい。
このようにすることで、キーパ部材を簡易に構成することができるとともに、鍔状の突起を指で押すので、指からの押圧力を面で受けることができ、指に加わる面圧を軽減して負担を低減することができる。
【００１２】
また、上記態様においては、前記突起が、前記フック部材の厚さ方向の両側に突出していてもよい。
このようにすることで、操作者の利き腕が左右いずれの場合であっても、取り外し操作を容易に行うことができる。
【００１３】
また、上記態様においては、前記フック部材に、前記キーパ部材によって開口が閉じられた状態で、前記キーパ部材の前記先端面の両側に、該先端面とともに外側に開く凹部を形成する導入部が設けられていてもよい。
このようにすることで、フック部材を相手部材に引っ掛ける際に、キーパ部材によって閉じられた開口の外側に、キーパ部材と導入部とで凹部が構成されているので、操作者は、手探りでも凹部に相手部材を容易に配置することができ、そのまま、相手部材にキーパ部材の先端面を押しつけるだけでフック部材を相手部材に引っ掛けることができる。
【００１４】
また、上記態様においては、前記フック部材が、一端に前記フック部を有し、他端に、ベルト材を貫通させる貫通孔を有していてもよい。
このようにすることで、ベルト材を貫通孔に貫通させた状態で固定し、ベルトによる固縛や落下防止措置を行う際の相手部材へのベルトの着脱を容易に行うことができる。
【００１５】
また、本発明の他の態様は、上記スナップフックと、該スナップフックの前記貫通孔を貫通して一端が取り付けられた帯状のベルト材とを備えるベルトを提供する。
本態様によれば、ベルト材の一端に取り付けたフック部材を相手部材に引っ掛けることにより、ベルト材による固縛や落下防止措置を容易に行うことができ、相手部材からの取り外しも容易に行って固縛状態や落下防止状態を容易に解除することができる。
【００１６】
また、本発明の他の態様は、上記ベルトと、該ベルトの他端に取り付けられ、搬送コンテナの内壁に固定されたレール板の貫通孔に着脱可能に取り付けられるベルト固定金具とを備える落下防止具を提供する。
本態様によれば、ベルト材の他端に取り付けられたベルト固定金具を搬送コンテナの内壁に固定されたレール板の貫通孔に取り付け、ベルト材の一端に取り付けられたスナップフックを相手部材に引っ掛けることにより、相手部材を含む積荷が搬送コンテナ内壁に繋ぎ止められて、搬送コンテナ内から落下する不都合の発生を未然に防止することができる。
【００１７】
上記態様においては、前記ベルト固定金具が取り付けられた前記ベルトの他端に、前記フック部を引っ掛け可能な環状部材が取り付けられていてもよい。
このようにすることで、落下防止具を使用しないときには、ベルト固定金具を搬送コンテナの内壁のレール板に固定した状態で、スナップフックのフック部をベルト固定金具の近傍の環状部材に引っ掛けておくだけで、搬送中に落下防止具が暴れないように片づけておくことができる。使用時には、スナップフックを環状部材から容易に外してそのまま相手部材に引っ掛けるだけで済み、操作を極めて簡易にすることができる。
【発明の効果】
【００１８】
本発明によれば、フック部材を相手部材から取り外すときの操作性を向上することができるという効果を奏する。
【図面の簡単な説明】
【００１９】
【図１】本発明の一実施形態に係る落下防止具を示す正面図である。
【図２】図１の落下防止具に備えられるベルト固定金具とレール板とを示す斜視図である。
【図３】図２のベルト固定金具をレール板の貫通孔に取り付ける際の（ａ）取付開始状態、（ｂ）途中状態、（ｃ）取付終了状態をそれぞれ示す図である。
【図４】本発明の一実施形態に係るスナップフックの正面図である。
【図５】図４のスナップフックの左側面図である。
【図６】図４のスナップフックの右側面図である。
【図７】図４のスナップフックの平面図である。
【図８】図４のスナップフックの底面図である。
【図９】図４のスナップフックの背面図である。
【図１０】図４のスナップフックのキーパ部材を揺動させて開口を開放した状態を示す正面図である。
【図１１】図４のスナップフックの斜視図である。
【図１２】図４のスナップフックを相手部材に取り付ける際の（ａ）取付前の状態、（ｂ）開口を開いた状態、（ｂ）取付後の状態をそれぞれ示す正面図である。
【図１３】図４のスナップフックを相手部材から取り外す際の（ａ）キーパ部材に指をかけた状態（ｂ）指でキーパ部材を揺動させた状態をそれぞれ示す正面図である。
【発明を実施するための形態】
【００２０】
本発明の一実施形態に係るスナップフック１、ベルト２および落下防止具３について、図面を参照して以下に説明する。
本実施形態に係る落下防止具３は、図１に示されるように、本実施形態に係るベルト２と、該ベルト２の一端に取り付けられたベルト固定金具４および環状部材５とを備えている。
【００２１】
ベルト固定金具４は、図２に示されるように、搬送コンテナ等の対向する内側面のそれぞれに長さ方向に沿って配置されたレール板６に、長さ方向に間隔をあけて複数設けられた矩形状の貫通孔７に挿入されて固定されるものである。このベルト固定金具４は、金属板を側面視略Ｕ字状に２つ折りに湾曲させた形状の金具本体８と、該金具本体８を構成する金属板の隙間に、該金属板の板厚方向に延びる軸線Ａ回りに揺動可能に取り付けられたストッパ部材９とを備えている。
【００２２】
また、金具本体８には、金属板の湾曲部８ａとは逆側の端部近傍に、幅方向に沿って延びる長孔１０が設けられている。長孔１０は、後述するベルト材１１を挿入可能な長さ寸法および幅寸法を有している。ベルト材１１は、長孔１０を通過させた端部をそれ自体の長さ方向の途中位置に縫合等してループを形成することによりベルト固定金具４を端部に固定している。
【００２３】
金具本体４は、レール板６に設けられた矩形状の貫通孔７の横幅寸法より若干小さい厚さ寸法と、貫通孔７の縦幅寸法より若干大きな幅寸法とを有するとともに、幅方向の両端面の長さ方向の途中位置に厚さ方向に沿って、レール板６の板厚より大きな溝幅寸法を有する溝１２，１３を備えている。
【００２４】
一方の溝１２は浅く、他方の溝１３は深く形成されており、ストッパ部材９は揺動によって深い方の溝１３の深さを切り替えるようになっている。そして、ベルト固定金具４をレール板６に取り付けるには、ストッパ部材９を揺動させて溝１３の深さを深くした状態で、最初に、図３（ａ）に示されるように、深い方の溝１３内にレール板６を挿入するように金具本体８を傾斜させて貫通孔７に挿入し、次いで、図３（ｂ）に示されるように、傾きを戻して浅い方の溝１２内に金具本体８の端部を挿入する。その後、図３（ｃ）に示されるように、ストッパ部材９によって深い方の溝１３の深さを浅くすることにより、ベルト固定金具４がレール板６の貫通孔７から外れないように保持されるようになっている。
【００２５】
環状部材５は、金属製丸棒を湾曲させて環状に形成したもので、ベルト固定金具４を取り付けるためにベルト材１１に形成されたループにベルト固定金具４とともに取り付けられている。
【００２６】
本実施形態に係るベルト２は、ベルト材１１と、該ベルト材１１の一端に取り付けた本実施形態に係るスナップフック１とを備えている。
ベルト材１１は、平坦な帯状に形成されている。
【００２７】
本実施形態に係るスナップフック１は、フック部材１４と、該フック部材１４に揺動可能に取り付けられたキーパ部材１５と、該キーパ部材１５を一方向に付勢するバネ１６とを備えている。
フック部材１４は、金属製平板材を打ち抜いたような平坦な形態を有し、一端に一方向に開口する略Ｊ字状のフック部１４ａを備え、他端にベルト材１１を貫通可能に形成された長孔１４ｂを備えている。フック部材１４はプレス加工によって打ち抜くことにより形成されてもよいし、ワイヤカットや切削加工等の他の任意の加工法によって形成されてもよい。
【００２８】
キーパ部材１５は、図４〜図１１に示されるように、金属製平板材をプレス加工等によって屈曲することにより、フック部材１４の厚さ寸法より若干大きな内幅寸法の横断面Ｕ字状に形成された本体部分１５ａと、該本体部分１５ａを構成する金属製平板材２つの端部を互いに逆方向に９０°屈曲させることにより形成された鍔状の突起部１５ｂとを備えている。そして、キーパ部材１５は、本体部分１５ａによって、フック部材１４を厚さ方向に挟むように配置され、フック部材１４を厚さ方向に貫通するピン１７によって、ピン１７の軸線回りに揺動可能にフック部材１４に取り付けられている。
【００２９】
また、キーパ部材１５は、一方向に揺動させられることにより、その先端が、フック部１４の開口１４ｃの内面に突き当たる長さ寸法を有し、突き当たることによって、フック部１４の開口１４ｃを閉じることができるようになっている。また、キーパ部材１５は、他方向に揺動させられる際には、本体部分１５ａの内側にフック部材１４を挿入しつつ揺動させられ、相手部材Ｂを通過させるのに十分な開口幅となるように開口１４ｃを開放することができるようになっている。
【００３０】
また、キーパ部材１５に設けられた鍔状の突起部１５ｂは、横断面Ｕ字状に形成された本体部分１５ａの２つの端部を屈曲して形成されているので、キーパ部材１５が開口１４ｃを閉じた状態では、開口１４ｃの外側に向かう本体部分１５ａの一端面（以下、先端面という。）１５ｃよりも開口１４ｃの内側に離れた位置に配置され、フック部材１５の厚さ方向の両側に突出している。先端面１５ｃと突起部１５ｂとの距離は、任意の寸法でよいが、操作者の人差し指の厚さ寸法と同等以上であることが好ましい。
【００３１】
バネ１６は、例えば、トーションバネであり、先端面１５ｃの裏側とフック部１４ａの内面との間に配置されて、両者の距離を広げる方向に常にキーパ部材１５を付勢している。これにより、外力を加えない状態では、キーパ部材１５がフック部１４ａの開口１４ｃの内面に突き当たる位置まで揺動させられて開口１４ｃを閉じた状態となっている。
また、フック部材１４には、開口１４ｃを閉じた状態のキーパ部材１５の先端面１５ｃよりも外側に、先端面１５ｃとともに外側に開口する凹部１８を形成する導入部１８ａが設けられている。
【００３２】
このように構成された本実施形態に係るスナップフック１、ベルト２および落下防止具３の作用について以下に説明する。
本実施形態に係るスナップフック１を棒状の相手部材Ｂに引っ掛けるには、操作者は、フック部材１４のベルト材１１が取り付けられている位置付近を持って、図１２（ａ）に示されるように、キーパ部材１５の先端面１５ｃを相手部材Ｂに押しつける。
【００３３】
キーパ部材１５の先端面１５ｃが相手部材Ｂから受ける押圧力がバネ１６による付勢力を越えると、図１２（ｂ）に示されるように、キーパ部材１５がフック部材１４に対して揺動させられて開口１４ｃが開かれ、相手部材Ｂがキーパ部材１５の先端面１５ｃをスライドしてフック部１４ａ内に導かれる。相手部材Ｂがフック部１４ａ内に入ってキーパ部材１５から外れると、バネ１６の付勢力によってキーパ部材１５が戻り、フック部１４ａの開口１４ｃが再度閉鎖される。これにより、図１２（ｃ）に示されるように、スナップフック１が相手部材Ｂから外れないように引っ掛けられることになる。
【００３４】
この場合において本実施形態に係るスナップフック１は、相手部材Ｂによって押されるキーパ部材１５の先端面１５ｃより外側に、該先端面１５ｃと導入部１８ａとによって外側に開く凹部１８が形成されているので、操作者は相手部材Ｂに押しつける先端面１５ｃを簡単に相手部材Ｂに位置合わせすることができる。すなわち、操作者は、凹部１８内に相手部材Ｂを配置しさえすれば、先端面１５ｃが相手部材Ｂに位置合わせされるので、後は相手部材Ｂに先端面１５ｃを押しつけるように力を加えるだけで、スナップフック１を相手部材Ｂに簡単に引っ掛けることができる。したがって、操作者は手探りでもスナップフック１を相手部材Ｂに簡易に引っ掛けることができるという利点がある。
【００３５】
一方、相手部材Ｂに引っ掛けられた状態のスナップフック１を相手部材Ｂから取り外すには、キーパ部材１５を揺動させてフック部１４ａの開口１４ｃを開くことにより、開かれた開口１４ｃから相手部材Ｂを取り外すことができる。
この場合に、操作者は、図１３（ａ）に示されるように、キーパ部材１５に備えられた突起部１５ｂに人差し指Ｃをかけ、親指Ｄをフック部材１４の外面に当てて、両指Ｃ，Ｄを近接させる方向に外力をかけることにより、キーパ部材１５がバネ１６の付勢力に抗して揺動させられる。
【００３６】
このとき人差し指Ｃをかけている突起部１５ｂが先端面１５ｃよりも後退した位置に配置されているので、図１３（ｂ）に示されるように、突起部１５ｂにかけられている人差し指Ｃの背を先端面１５ｃから大きく突出させずに済む。すなわち、フック部１４ａの開口１４ｃが開かれたときにはキーパ部材１５の先端面１５ｃ側を相手部材Ｂが通過するので、その際に人差し指Ｃの背が突出していないことによって、人差し指Ｃが取り外しの邪魔にならないという利点がある。
【００３７】
しかも、先端面１５ｃを直接人差し指Ｃで押してキーパ部材１５を揺動させる場合と比較して、揺動角度が小さくても相手部材Ｂを取り外すことができる。キーパ部材１５を大きく揺動させるためには、揺動角度の増加とともに大きくなるバネ１６の付勢力を越える外力を加える必要があるので、揺動角度が小さくて済めば、それだけ取り外し作業の操作性を向上することができるという利点がある。
【００３８】
また、本実施形態においては、突起部１５ｂが、キーパ部材１５の一部を屈曲させた鍔状に形成されているので、人差し指Ｃによって加えられる押圧力が広い面積で受けられて面圧が軽減され、操作者にかかる負担を軽減することができる。
また、本実施形態においては、突起部１５ｂがフック部材１４の厚さ方向の両側に突出しているので、操作者の利き腕が左右いずれの場合にも操作性を向上することができる。
【００３９】
そして、このように構成された本実施形態に係るスナップフック１を備えるベルト２によれば、スナップフック１の取り付け、取り外しの操作性を向上し、ベルト材１１によって簡易に固縛作業等を行うことができる。
【００４０】
また、本実施形態に係るスナップフック１を備えた落下防止具３によれば、ベルト２の一端に取り付けられたベルト固定金具４を搬送コンテナの内壁に取り付けられたレール板６の貫通孔７に固定しておき、パイプ材等で構成された荷物の運搬用の台車（籠車）のパイプ材（相手部材Ｂ）にスナップフック１を引っ掛けておくだけで、トラックに備え付けのリフトによって台車を昇降させる際にも、台車がリフトから誤って落下することを未然に防止することができる。
【００４１】
そして、本実施形態に係る落下防止具３によれば、使用しないときには、ベルト固定金具４をレール板６の貫通孔７に取り付けたままの状態で、スナップフック１を環状部材５に引っ掛けることにより、ベルト材１１を吊り下げた状態にして、落下防止具３がトラックによる搬送中に暴れないように片づけておくことができる。したがって、片づけ作業が簡単になり、また、使用時にもスナップフック１を環状部材５から取り外して相手部材Ｂに掛け替えるだけで済むので便利である。
【符号の説明】
【００４２】
Ｃ  人差し指（指）
１  スナップフック
２  ベルト
３  落下防止具
４  ベルト固定金具
５  環状部材
６  レール板
７  貫通孔
１１  ベルト材
１４  フック部材
１４ａ  フック部
１４ｂ  長孔（貫通孔）
１４ｃ  開口
１５  キーパ部材
１５ｂ  突起部（突起）
１５ｃ  先端面
１６  バネ
１７  ピン（軸線）
１８  凹部
１８ａ  導入部
【図１】
2015206412.tif 000003
【図２】
2015206412.tif 000004
【図３】
2015206412.tif 000005
【図４】
2015206412.tif 000006
【図５】
2015206412.tif 000007
【図６】
2015206412.tif 000008
【図７】
2015206412.tif 000009
【図８】
2015206412.tif 000010
【図９】
2015206412.tif 000011
【図１０】
2015206412.tif 000012
【図１１】
2015206412.tif 000013
【図１２】
2015206412.tif 000014
【図１３】
2015206412.tif 000015